(57)【要約】  【課題】  携帯情報端末毎の固定ＩＰアドレスの割り当てやＤＨＣＰサーバを不要にする携帯情報端末、ＩＰアドレス設定プログラム、ＩＰアドレス設定方法を提供する。  【解決手段】  ＵＳＢ−ＬＡＮアダプタ２に接続することによりＩＰアドレスを用いた通信を行う携帯情報端末１であって、ＵＳＢ−ＬＡＮアダプタ２に接続するＵＳＢインタフェイス１５と、ＵＳＢインタフェイス１５を介して、予めＵＳＢ−ＬＡＮアダプタ２に記憶されたＩＰアドレスを読み込み、該ＩＰアドレスを携帯情報端末のＩＰアドレスとして設定する制御部１１とを備えた。  【選択図】  図１
2007028174.tif 000002
【特許請求の範囲】
【請求項１】
ＮＩＣに接続することによりＩＰアドレスを用いた通信を行う携帯情報端末であって、
ＮＩＣに接続するＮＩＣインタフェイス部と、
前記ＮＩＣインタフェイス部を介して、予め前記ＮＩＣに記憶されたＩＰアドレスを読み込み、該ＩＰアドレスを前記携帯情報端末のＩＰアドレスとして設定する制御部と、
を備えてなる携帯情報端末。
【請求項２】
請求項１に記載の携帯情報端末において、
前記制御部は更に、ユーザによりＩＰアドレスが入力された場合、前記ユーザにより入力されたＩＰアドレスを、前記ＮＩＣインタフェイス部を介して前記ＮＩＣに書き込むことを特徴とする携帯情報端末。
【請求項３】
請求項１または請求項２に記載の携帯情報端末において、
前記ＮＩＣに記憶されるＩＰアドレスは、前記ＮＩＣ内の不揮発性半導体メモリに記憶されることを特徴とする携帯情報端末。
【請求項４】
ＮＩＣに接続された携帯情報端末におけるＩＰアドレスの設定を前記携帯情報端末であるコンピュータに実行させるＩＰアドレス設定プログラムであって、
予め前記ＮＩＣに記憶されたＩＰアドレスを読み込むＮＩＣ読み込みステップと、
前記ＩＰアドレス読み込みステップにより読み込まれたＩＰアドレスを前記携帯情報端末のＩＰアドレスとして設定する携帯情報端末設定ステップと、
をコンピュータに実行させるＩＰアドレス設定プログラム。
【請求項５】
ＮＩＣに接続された携帯情報端末におけるＩＰアドレスの設定を実行するＩＰアドレス設定方法であって、
予め前記ＮＩＣに記憶されたＩＰアドレスを読み込むＮＩＣ読み込みステップと、
前記ＩＰアドレス読み込みステップにより読み込まれたＩＰアドレスを前記携帯情報端末のＩＰアドレスとして設定する携帯情報端末設定ステップと、
を実行するＩＰアドレス設定方法。
【発明の詳細な説明】
【技術分野】
【０００１】
本発明は、ＮＩＣに接続してネットワークとの通信を行う携帯情報端末、ＩＰアドレス設定プログラム、ＩＰアドレス設定方法に関するものである。
【背景技術】
【０００２】
近年の携帯情報端末においては、多数の携帯情報端末の情報を一括して管理する場合がある。この場合、ＵＳＢ（Universal Serial Bus）等のインタフェイスを持つＮＩＣ（Network Interface Card）を携帯情報端末に接続することにより、携帯情報端末はＮＩＣを介してＬＡＮ（Local Area Network）に接続するようなシステムを用いる。また、あるＮＩＣに接続する携帯情報端末を不特定とし、携帯情報端末がＬＡＮに接続するときだけＮＩＣを用いることにより、携帯情報端末の数に比べてＮＩＣの数を少数に抑えることができる。
【０００３】
携帯情報端末に接続されるＮＩＣアダプタにＩＰ（Internet Protocol）アドレスを設定する方法として、携帯情報端末のＯＳ（Operating System）において携帯情報端末の固定ＩＰアドレスを設定する方法や、ＬＡＮ内のＤＨＣＰ（Dynamic Host Configuration Protocol）サーバが自動で携帯情報端末のＩＰアドレスを設定する方法がある。
【０００４】
なお、本発明の関連ある従来技術として、例えば、下記に示す特許文献１が知られている。この通信処理装置およびネットワークインタフェイス切り替え方法は、ＩＰアドレスをＮＩＣに割り当て、あるＮＩＣの障害を検出した場合に、そのＮＩＣのＩＰアドレスを他のＮＩＣに割り当てるものである。
【特許文献１】特開２００３−３４８０９３号公報
【発明の開示】
【発明が解決しようとする課題】
【０００５】
しかしながら、携帯情報端末のＯＳにおいて手動でＩＰアドレスを設定する方法を用いる場合、ＩＰアドレスの重複等の設定ミスが発生し易くなる等の問題があった。更に、多数の携帯情報端末を用いる場合、手動によるＩＰアドレス設定の手間が膨大になる、多数の固定ＩＰアドレスが必要になる、等の問題があった。
【０００６】
また、ＬＡＮ内のＤＨＣＰサーバが自動でＩＰアドレスを設定する方法を用いる場合、ＬＡＮに接続された情報端末にはその都度ＩＰアドレスが割り当てられることから、不特定の情報端末がＬＡＮにアクセスする可能性があるというセキュリティ上の問題があった。
【０００７】
これらの問題を解決するために、ＮＩＣ毎にＤＨＣＰサーバ機能を持たせることが考えられるが、コストの増大を招いてしまう。
【０００８】
本発明は上述した問題点を解決するためになされたものであり、携帯情報端末毎の固定ＩＰアドレスの割り当てやＤＨＣＰサーバを不要にする携帯情報端末、ＩＰアドレス設定プログラム、ＩＰアドレス設定方法を提供することを目的とする。
【課題を解決するための手段】
【０００９】
上述した課題を解決するため、本発明は、ＮＩＣに接続することによりＩＰアドレスを用いた通信を行う携帯情報端末であって、ＮＩＣに接続するＮＩＣインタフェイス部と、前記ＮＩＣインタフェイス部を介して、予め前記ＮＩＣに記憶されたＩＰアドレスを読み込み、該ＩＰアドレスを前記携帯情報端末のＩＰアドレスとして設定する制御部とを備えたものである。
【００１０】
また、本発明に係る携帯情報端末において、前記制御部は更に、ユーザによりＩＰアドレスが入力された場合、前記ユーザにより入力されたＩＰアドレスを、前記ＮＩＣインタフェイス部を介して前記ＮＩＣに書き込むことを特徴とするものである。
【００１１】
また、本発明に係る携帯情報端末において、前記制御部は、前記ＮＩＣの初期化時に、予め前記ＮＩＣに記憶されたＩＰアドレスを読み込み、該ＩＰアドレスを前記携帯情報端末のＩＰアドレスとして設定することを特徴とするものである。
【００１２】
また、本発明に係る携帯情報端末において、前記制御部は、ユーザによりＩＰアドレスが入力された場合、前記ＮＩＣの初期化時に、前記ユーザにより入力されたＩＰアドレスを、前記ＮＩＣインタフェイス部を介して前記ＮＩＣに書き込むことを特徴とするものである。
【００１３】
また、本発明に係る携帯情報端末において、前記ＮＩＣに記憶されるＩＰアドレスは、前記ＮＩＣ内の不揮発性半導体メモリに記憶されることを特徴とするものである。
【００１４】
また、本発明は、ＮＩＣに接続された携帯情報端末におけるＩＰアドレスの設定を前記携帯情報端末であるコンピュータに実行させるＩＰアドレス設定プログラムであって、予め前記ＮＩＣに記憶されたＩＰアドレスを読み込むＮＩＣ読み込みステップと、前記ＩＰアドレス読み込みステップにより読み込まれたＩＰアドレスを前記携帯情報端末のＩＰアドレスとして設定する携帯情報端末設定ステップとをコンピュータに実行させるものである。
【００１５】
また、本発明に係るＩＰアドレス設定プログラムにおいて、更に、前記ＮＩＣ読み込みステップの前に、ユーザによりＩＰアドレスが入力された場合、前記ユーザにより入力されたＩＰアドレスを前記ＮＩＣに書き込むＮＩＣ書き込みステップをコンピュータに実行させることを特徴とするものである。
【００１６】
また、本発明に係るＩＰアドレス設定プログラムにおいて、前記ＮＩＣ読み込みステップと携帯情報端末設定ステップは、前記ＮＩＣの初期化時に実行されることを特徴とするものである。
【００１７】
また、本発明に係るＩＰアドレス設定プログラムにおいて、前記ＮＩＣ書き込みステップは、前記ＮＩＣの初期化時に実行されることを特徴とするものである。
【００１８】
また、本発明に係るＩＰアドレス設定プログラムにおいて、前記ＮＩＣに記憶されるＩＰアドレスは、前記ＮＩＣ内の不揮発性半導体メモリに記憶されることを特徴とするものである。
【００１９】
また、本発明は、ＮＩＣに接続された携帯情報端末におけるＩＰアドレスの設定を実行するＩＰアドレス設定方法であって、予め前記ＮＩＣに記憶されたＩＰアドレスを読み込むＮＩＣ読み込みステップと、前記ＩＰアドレス読み込みステップにより読み込まれたＩＰアドレスを前記携帯情報端末のＩＰアドレスとして設定する携帯情報端末設定ステップとを実行するものである。
【発明の効果】
【００２０】
本発明によれば、従来のＮＩＣをそのまま用いて、ＮＩＣにＩＰアドレスを割り当てることができる。また、多数の携帯情報端末を用いるシステムにおいて、携帯情報端末の数に比べてＮＩＣとＩＰアドレスの数を大幅に削減できることから、システム構築のコストを大幅に低減することができる。
【発明を実施するための最良の形態】
【００２１】
以下、本発明の実施の形態について図面を参照しつつ説明する。
【００２２】
本発明においては、ＩＰアドレスはＮＩＣに設定され、更にＮＩＣに接続された携帯情報端末に設定される。また、ＮＩＣとして、携帯情報端末にＵＳＢで接続するＵＳＢ−ＬＡＮアダプタの例について説明する。ここで、携帯情報端末とＮＩＣの接続にはＵＳＢを用いる例について説明するが、ＵＳＢ以外のインタフェイスを用いても良い。
【００２３】
まず、本発明に係る携帯情報端末の構成について説明する。
【００２４】
図１は、本発明に係る携帯情報端末のハードウェアの構成の一例を示すブロック図である。携帯情報端末１は、ＵＳＢ−ＬＡＮアダプタ２を介してＬＡＮ３に接続される。また、携帯情報端末１は、制御部１１、記憶部１２、表示部１３、操作部１４、ＵＳＢインタフェイス１５を有する。また、ＵＳＢ−ＬＡＮアダプタ２は、従来と同様の構成であり、制御部２１、記憶部２２、ＵＳＢインタフェイス２５、ＬＡＮインタフェイス２６を有する。
【００２５】
制御部１１は、記憶部１２に記憶されたプログラムやデータを用いて携帯情報端末１の制御を行う。記憶部１２は、プログラムやデータの他に、ＩＰアドレス設定、ＩＰアドレス設定モードを記憶する。ＩＰアドレス設定モードには、従来のようにＩＰアドレスを情報処理端末１のＯＳに設定する端末設定モードと、本発明であるＩＰアドレスをＵＳＢ−ＬＡＮアダプタ２に設定するアダプタ設定モードがあり、ユーザの指示により予め設定される。表示部１３は、制御部１１からの情報を表示する。操作部１４はユーザの操作を制御部１１に渡す。ＵＳＢインタフェイス１５，２５は、携帯情報端末１と周辺機器を接続する汎用インタフェイスであり、コネクタを介して携帯情報端末１とＵＳＢ−ＬＡＮアダプタ２を接続する。
【００２６】
制御部２１は、記憶部２２に記憶されたデータを用いてＵＳＢ−ＬＡＮアダプタ２の制御を行う。記憶部２２は、予め設定されるＭＡＣ（Media Access Control）アドレスを記憶する他に、携帯情報端末１により設定されるＩＰアドレスを記憶するものであり、例えば不揮発性半導体メモリであるＥＥＰＲＯＭ（Electrically Erasable Programmable Read-Only Memory）で実現される。従来のＵＳＢ−ＬＡＮアダプタにおいても、ＭＡＣアドレスを記憶するために、ＥＥＰＲＯＭが用いられており、容量に余裕があることから、従来のＵＳＢ−ＬＡＮアダプタをそのまま用いることができる。
【００２７】
図２は、本発明に係る携帯情報端末のＴＣＰ（Transmission Control Protocol）／ＩＰ通信に関するソフトウェアの構成の一例を示すブロック図である。携帯情報端末１におけるＴＣＰ／ＩＰ通信に関するソフトウェアは、ＴＣＰ／ＩＰ制御部５１、標準ＮＩＣ制御部５２、アダプタ制御部５３、ＵＳＢコントローラ制御部５４、ＩＰアドレス書き換えツール部６１、レジストリ７１を有する。
【００２８】
レジストリ７１は、ＩＰアドレスを記憶する機能を有し、アダプタ制御部５３、ＩＰアドレス書き換えツール部６１、ＯＳにより読み書きが行われる。ＴＣＰ／ＩＰ制御部５１は、ＯＳにより提供され、ＯＳやアプリケーションから要求されたＴＣＰ／ＩＰ通信の制御を行うものであり、標準ＮＩＣ制御部５２を介して制御を行う。標準ＮＩＣ制御部５２は、ＯＳにより提供され、標準的なＮＩＣとの通信の制御を行うものであり、アダプタ制御部５３を介して制御を行う。この標準ＮＩＣ制御部５２は、例えばＮＤＩＳ（Network Driver Interface Specification）と呼ばれるものである。
【００２９】
アダプタ制御部５３は、ＵＳＢ−ＬＡＮアダプタ２の制御を行うものであり、ＵＳＢコントローラ制御部５４を介して制御を行う。本実施の形態におけるアダプタ制御部５３は、通信の制御の他に、ＵＳＢ−ＬＡＮアダプタ２の記憶部２２におけるＩＰアドレスの読み書き、レジストリ７１におけるＩＰアドレスの読み書きを行う。ＵＳＢコントローラ制御部５４は、ＵＳＢインタフェイス１５の制御を行う。ＩＰアドレス書き換えツール部６１は、ＧＵＩ（Graphical User Interface）を用いてユーザによる入力を受け付け、入力されたＩＰアドレスをレジストリ７１へ書き込む。
【００３０】
次に、ＩＰアドレス設定の動作について説明する。
【００３１】
まず、ＩＰアドレス設定のうち、ＩＰアドレス書き換えツール部６１の動作について説明する。
【００３２】
携帯情報端末１の操作部１４でのユーザの指示により、ＵＳＢ−ＬＡＮアダプタ２のＩＰアドレスを設定する指示があった場合、制御部１１はＩＰアドレス書き換えツール部６１を起動させる。図３は、本発明に係るＩＰアドレス書き換えツール部の動作の一例を示すフローチャートである。まず、ＩＰアドレス書き換えツール部６１は、操作部１４におけるユーザの操作に従って、ＩＰアドレス書き換えを行うか否かの判断を行う（Ｓ１１１）。ＩＰアドレス書き換えを行わない場合（Ｓ１１１，Ｎ）、このフローを終了する。一方、ＩＰアドレス書き換えを行う場合（Ｓ１１１，Ｙ）、ＩＰアドレス書き換えツール部６１は、操作部１４においてユーザが入力したＩＰアドレスを取得する（Ｓ１１２）。次に、ＩＰアドレス書き換えツール部６１は、取得したＩＰアドレスをレジストリ７１に書き込む（Ｓ１１３）。
【００３３】
次に、ＩＰアドレス書き換えツール部６１は、アダプタ制御部５３による書き換えの結果を知るための書き換えイベントを作成する（Ｓ１２１）。次に、ＩＰアドレス書き換えツール部６１は、ユーザに対してＵＳＢ−ＬＡＮアダプタ２の接続を要求する接続要求メッセージを表示部１３に表示させる（Ｓ１２２）。メッセージとは、例えば、「ＵＳＢ端子にＬＡＮアダプタを接続してください。」である。
【００３４】
次に、ＩＰアドレス書き換えツール部６１は、アダプタ制御部５３により書き換えイベントがセットされたか否かの判断を行う（Ｓ１２３）。書き換えイベントがセットされていない場合（Ｓ１２３，Ｎ）、ＩＰアドレス書き換えツール部６１は、処理Ｓ１２３に戻り、待機する。一方、書き換えイベントがセットされた場合（Ｓ１２３，Ｙ）、ＩＰアドレス書き換えツール部６１は、書き換えイベントを削除し（Ｓ１２４）、書き換えイベントの内容から、書き換えが成功したか否かの判断を行う（Ｓ１３１）。書き換えが失敗した場合（Ｓ１３１，Ｎ）、ＩＰアドレス書き換えツール部６１は、書き換えが失敗したことを示すエラーメッセージを表示部１３に表示させ（Ｓ１３２）、このフローを終了する。一方、書き換えが成功した場合（Ｓ１３１，Ｙ）、ＩＰアドレス書き換えツール部６１は、書き換えが完了したことを示す書き込み完了メッセージを表示部１３に表示させ（Ｓ１３３）、このフローを終了する。
【００３５】
次に、ＩＰアドレス設定のうち、アダプタ制御部５３の動作について説明する。
【００３６】
上述した処理Ｓ１２２の接続要求メッセージに従い、ユーザにより携帯情報端末１とＵＳＢ−ＬＡＮアダプタ２が接続されると、アダプタ制御部５３はＵＳＢ−ＬＡＮアダプタ２の初期化を行う。この初期化の中で、アダプタ制御部５３によるＩＰアドレス設定が行われる。図４は、本発明に係るアダプタ制御部の動作の一例を示すフローチャートである。まず、アダプタ制御部５３は、書き換えイベントが存在するか否かの判断を行う（Ｓ２１１）。書き換えイベントが存在する場合（Ｓ２１１，Ｙ）、アダプタ制御部５３は、ＵＳＢ−ＬＡＮアダプタ２の記憶部２２へＩＰアドレスの書き込みを行うアダプタ書き込み処理を行い（Ｓ２１２）、処理Ｓ２２１へ移行する。一方、書き換えイベントが存在しない場合（Ｓ２１１，Ｎ）、処理Ｓ２２１へ移行し、アダプタ書き込み処理を行わない。
【００３７】
次に、処理Ｓ２２１において、アダプタ制御部５３は、予め設定されたＩＰアドレス設定モードがアダプタ設定モードであるか否かの判断を行う（Ｓ２２１）。ここで、ＩＰアドレス設定モードには、ＵＳＢ−ＬＡＮアダプタ２に設定されたＩＰアドレスを携帯情報端末１のＯＳのＩＰアドレスとして設定するアダプタ設定モードと、携帯情報端末１のＯＳに設定されたＩＰアドレスをそのまま用いる携帯情報端末設定モードが存在する。アダプタ設定モードである場合（Ｓ２２１，Ｙ）、アダプタ制御部５３は、ＵＳＢ−ＬＡＮアダプタ２の記憶部２２に記憶されたＩＰアドレスの読み込みを行い、携帯情報端末１のＯＳに設定するアダプタ読み込み処理を行い、このフローを終了する。一方、携帯情報端末設定モードである場合（Ｓ２２１，Ｎ）、このフローを終了し、従来と同様、アダプタ読み込み処理を行わず、ＩＰアドレスはＯＳの設定をそのまま使用する。
【００３８】
次に、アダプタ制御部５３によるアダプタ書き込み処理の動作について説明する。
【００３９】
図５は、本発明に係るアダプタ書き込み処理の動作の一例を示すフローチャートである。まず、アダプタ制御部５３は、レジストリ７１からＩＰアドレスを読み込み（Ｓ３１１）、このＩＰアドレスを記憶部２２へ書き込み（Ｓ３１２）、書き込みが成功したか否かの判断を行う（Ｓ３２１）。
【００４０】
書き込みが失敗した場合（Ｓ３２１，Ｎ）、アダプタ制御部５３は、書き換えイベントに失敗を示すエラー情報をセットし（Ｓ３２２）、このフローを終了する。一方、書き込みが成功した場合（Ｓ３２１，Ｙ）、アダプタ制御部５３は、書き換えイベントに成功を示す成功情報をセットし（Ｓ３２３）、このフローを終了する。
【００４１】
次に、アダプタ制御部５３によるアダプタ読み込み処理の動作について説明する。
【００４２】
図６は、本発明に係るアダプタ読み込み処理の動作の一例を示すフローチャートである。まず、アダプタ制御部５３は、記憶部２２からＩＰアドレスを読み込み（Ｓ４１１）、読み込みが成功したか否かの判断を行う（Ｓ４２１）。
【００４３】
読み込みが失敗した場合（Ｓ４２１，Ｎ）、読み込みの失敗を示すエラー情報をレジストリ７１に書き込み（Ｓ４２２）、このフローを終了する。一方、読み込みが成功した場合（Ｓ４２１，Ｙ）、アダプタ制御部５３は、読み込んだＩＰアドレスをレジストリ７１に書き込み（Ｓ４２３）、このフローを終了する。
【００４４】
上述したＩＰアドレス設定の結果、ＴＣＰ／ＩＰ制御部５１は、レジストリ７１にＩＰアドレスが書き込まれていれば、このＩＰアドレスを用いてＴＣＰ／ＩＰ通信を行い、エラー情報が書き込まれていれば、所定のエラー処理を行う。
【００４５】
上述したように、ＵＳＢ−ＬＡＮアダプタに固定ＩＰアドレスを割り当てることにより、特定のＵＳＢ−ＬＡＮアダプタに接続された携帯情報端末との通信や、その通信を用いた制御を容易に実現することができる。
【００４６】
更に、携帯情報端末を構成するコンピュータにおいて上述した各ステップを実行させるプログラムを、ＩＰアドレス設定プログラムとして提供することができる。上述したプログラムは、コンピュータにより読取り可能な記録媒体に記憶させることによって、携帯情報端末を構成するコンピュータに実行させることが可能となる。ここで、上記コンピュータにより読取り可能な記録媒体としては、ＲＯＭやＲＡＭ等のコンピュータに内部実装される内部記憶装置、ＣＤ−ＲＯＭやフレキシブルディスク、ＤＶＤディスク、光磁気ディスク、ＩＣカード等の可搬型記憶媒体や、コンピュータプログラムを保持するデータベース、或いは、他のコンピュータ並びにそのデータベースや、更に回線上の伝送媒体をも含むものである。
【００４７】
なお、ＮＩＣインタフェイス部は、実施の形態におけるＵＳＢインタフェイスに対応する。また、ＮＩＣ読み込みステップと携帯情報端末設定ステップは、実施の形態におけるアダプタ読み込み処理に対応する。また、ＮＩＣ書き込みステップは、実施の形態におけるアダプタ書き込み処理に対応する。
【００４８】
（付記１）  ＮＩＣに接続することによりＩＰアドレスを用いた通信を行う携帯情報端末であって、
ＮＩＣに接続するＮＩＣインタフェイス部と、
前記ＮＩＣインタフェイス部を介して、予め前記ＮＩＣに記憶されたＩＰアドレスを読み込み、該ＩＰアドレスを前記携帯情報端末のＩＰアドレスとして設定する制御部と、
を備えてなる携帯情報端末。
（付記２）  付記１に記載の携帯情報端末において、
前記制御部は更に、ユーザによりＩＰアドレスが入力された場合、前記ユーザにより入力されたＩＰアドレスを、前記ＮＩＣインタフェイス部を介して前記ＮＩＣに書き込むことを特徴とする携帯情報端末。
（付記３）  付記１に記載の携帯情報端末において、
前記制御部は、前記ＮＩＣの初期化時に、予め前記ＮＩＣに記憶されたＩＰアドレスを読み込み、該ＩＰアドレスを前記携帯情報端末のＩＰアドレスとして設定することを特徴とする携帯情報端末。
（付記４）  付記２に記載の携帯情報端末において、
前記制御部は、ユーザによりＩＰアドレスが入力された場合、前記ＮＩＣの初期化時に、前記ユーザにより入力されたＩＰアドレスを、前記ＮＩＣインタフェイス部を介して前記ＮＩＣに書き込むことを特徴とする携帯情報端末。
（付記５）  付記１乃至付記４のいずれかに記載の携帯情報端末において、
前記ＮＩＣに記憶されるＩＰアドレスは、前記ＮＩＣ内の不揮発性半導体メモリに記憶されることを特徴とする携帯情報端末。
（付記６）  ＮＩＣに接続された携帯情報端末におけるＩＰアドレスの設定を前記携帯情報端末であるコンピュータに実行させるＩＰアドレス設定プログラムであって、
予め前記ＮＩＣに記憶されたＩＰアドレスを読み込むＮＩＣ読み込みステップと、
前記ＩＰアドレス読み込みステップにより読み込まれたＩＰアドレスを前記携帯情報端末のＩＰアドレスとして設定する携帯情報端末設定ステップと、
をコンピュータに実行させるＩＰアドレス設定プログラム。
（付記７）  付記６に記載のＩＰアドレス設定プログラムにおいて、
更に、前記ＮＩＣ読み込みステップの前に、ユーザによりＩＰアドレスが入力された場合、前記ユーザにより入力されたＩＰアドレスを前記ＮＩＣに書き込むＮＩＣ書き込みステップをコンピュータに実行させることを特徴とするＩＰアドレス設定プログラム。
（付記８）  付記６に記載のＩＰアドレス設定プログラムにおいて、
前記ＮＩＣ読み込みステップと携帯情報端末設定ステップは、前記ＮＩＣの初期化時に実行されることを特徴とするＩＰアドレス設定プログラム。
（付記９）  付記７に記載のＩＰアドレス設定プログラムにおいて、
前記ＮＩＣ書き込みステップは、前記ＮＩＣの初期化時に実行されることを特徴とするＩＰアドレス設定プログラム。
（付記１０）  付記６乃至付記９のいずれかに記載のＩＰアドレス設定プログラムにおいて、
前記ＮＩＣに記憶されるＩＰアドレスは、前記ＮＩＣ内の不揮発性半導体メモリに記憶されることを特徴とするＩＰアドレス設定プログラム。
（付記１１）  ＮＩＣに接続された携帯情報端末におけるＩＰアドレスの設定を実行するＩＰアドレス設定方法であって、
予め前記ＮＩＣに記憶されたＩＰアドレスを読み込むＮＩＣ読み込みステップと、
前記ＩＰアドレス読み込みステップにより読み込まれたＩＰアドレスを前記携帯情報端末のＩＰアドレスとして設定する携帯情報端末設定ステップと、
を実行するＩＰアドレス設定方法。
（付記１２）  付記１１に記載のＩＰアドレス設定方法において、
更に、前記ＮＩＣ読み込みステップの前に、ユーザによりＩＰアドレスが入力された場合、前記ユーザにより入力されたＩＰアドレスを前記ＮＩＣに書き込むＮＩＣ書き込みステップを実行することを特徴とするＩＰアドレス設定方法。
（付記１３）  付記１１に記載のＩＰアドレス設定方法において、
前記ＮＩＣ読み込みステップと携帯情報端末設定ステップは、前記ＮＩＣの初期化時に実行することを特徴とするＩＰアドレス設定方法。
（付記１４）  付記１２に記載のＩＰアドレス設定方法において、
前記ＮＩＣ書き込みステップは、前記ＮＩＣの初期化時に実行することを特徴とするＩＰアドレス設定方法。
（付記１５）  付記１１乃至付記１４のいずれかに記載のＩＰアドレス設定方法において、
前記ＮＩＣに記憶されるＩＰアドレスは、前記ＮＩＣ内の不揮発性半導体メモリに記憶されることを特徴とするＩＰアドレス設定方法。
【図面の簡単な説明】
【００４９】
【図１】本発明に係る携帯情報端末のハードウェアの構成の一例を示すブロック図である。
【図２】本発明に係る携帯情報端末のＴＣＰ／ＩＰ通信に関するソフトウェアの構成の一例を示すブロック図である。
【図３】本発明に係るＩＰアドレス書き換えツール部の動作の一例を示すフローチャートである。
【図４】本発明に係るアダプタ制御部の動作の一例を示すフローチャートである。
【図５】本発明に係るアダプタ書き込み処理の動作の一例を示すフローチャートである。
【図６】本発明に係るアダプタ読み込み処理の動作の一例を示すフローチャートである。
【符号の説明】
【００５０】
１  携帯情報端末、２  ＵＳＢ−ＬＡＮアダプタ、３  ＬＡＮ、１１  制御部、１２  記憶部、１３  表示部、１４  操作部、１５  ＵＳＢインタフェイス、２１  制御部、２２  記憶部、２５  ＵＳＢインタフェイス、２６  ＬＡＮインタフェイス、５１  ＴＣＰ／ＩＰ制御部、５２  標準ＮＩＣ制御部、５３  アダプタ制御部、５４  ＵＳＢコントローラ制御部、６１  ＩＰアドレス書き換えツール部、７１  レジストリ。
【図１】
2007028174.tif 000003
【図２】
2007028174.tif 000004
【図３】
2007028174.tif 000005
【図４】
2007028174.tif 000006
【図５】
2007028174.tif 000007
【図６】
2007028174.tif 000008